(57)【要約】【課題】着用時の脚に対する触り心地の低下を抑制しつつ、排泄口に対するフィット性を向上させ、漏れを抑制できる吸収性物品を提供する。【解決手段】吸収性物品（１）は、着用者の肌に向けられるトップシート(10)と、を有する。トップシートは、吸収性物品の幅方向の中央に配置されたセンターシート(11)と、センターシートよりも幅方向の外側に配置されたサイドシート(12)と、を有する。サイドシートは、非折り返し部(12A)と、サイドシートの外側縁において非肌面側に向かって折り返された折り返し部(12B)と、を有する。サイドシートの外側縁から幅方向の内側に延びる領域には、折り返し部が、当該折り返し部よりも非肌面側に位置する非肌面側シートに対して接合されていない起立部(15)が設けられている。トップシートが湿潤した湿潤時におけるセンターシートの動摩擦係数は、湿潤時における前記サイドシートの動摩擦係数よりも高い。【選択図】図２
2020069035.tif 000002
【特許請求の範囲】
【請求項１】
互いに直交する前後方向及び幅方向と、
着用者の肌に向けられるトップシートと、を有し、
前記トップシートは、吸収性物品の前記幅方向の中央に配置されたセンターシートと、前記センターシートよりも前記幅方向の外側に配置されたサイドシートと、を有する吸収性物品であって、
前記サイドシートは、非折り返し部と、前記サイドシートの外側縁において非肌面側に向かって折り返された折り返し部と、を有し、
前記サイドシートの外側縁から前記幅方向の内側に延びる領域には、前記折り返し部が、当該折り返し部よりも非肌面側に位置する非肌面側シートに対して接合されていない起立部が設けられており、
前記トップシートが湿潤した湿潤時における前記センターシートの動摩擦係数は、前記湿潤時における前記サイドシートの動摩擦係数よりも高い、吸収性物品。
【請求項２】
前記サイドシートの前記非折り返し部は、前記センターシートよりも肌面側に位置する、請求項１に記載の吸収性物品。
【請求項３】
前記サイドシートの前記非折り返し部は、前記センターシートよりも非肌面側に位置し、
前記センターシートの外側部が前記サイドシートに接合されていないセンター非接合領域が設けられている、請求項１に記載の吸収性物品。
【請求項４】
前記起立部の前記幅方向の長さは、前記センター非接合領域の前記幅方向の長さよりも長い、請求項３に記載の吸収性物品。
【請求項５】
前記トップシートよりも前記幅方向の外側に延出し、かつ着用者の肌に向けられる延出シートを有し、
前記湿潤時における前記延出シートの動摩擦係数は、前記湿潤時における前記トップシートの動摩擦係数よりも低い、請求項１から請求項４のいずれか１項に記載の吸収性物品。
【請求項６】
前記センターシートは、保水性繊維を有し、
前記サイドシートは、熱可塑性樹脂繊維を有する、請求項１から請求項５のいずれか１項に記載の吸収性物品。
【請求項７】
前記センターシートは、第１層と、前記第１層の非肌面側に位置する第２層と、を有し、
前記保水性繊維は、前記第１層側に偏倚しており、
前記熱可塑性樹脂繊維は、前記第２層側に偏倚しており、
前記保水性繊維は、コットン繊維である、請求項６に記載の吸収性物品。
【請求項８】
前記センターシートの非肌面側に位置する吸収コアと、少なくとも前記吸収コアと前記センターシートを厚み方向に圧縮した圧搾部と、を有し、
前記吸収コアは、パルプと高吸収性ポリマーを有し、
前記圧搾部は、前記前後方向に延び、かつ前記幅方向に間隔を空けて配置された一対の前後圧搾部を有し、
前記前後圧搾部よりも前記幅方向の外側に位置する第１領域における前記高吸収性ポリマーの坪量は、前記前後圧搾部によって挟まれた第２領域における前記高吸収性ポリマーの坪量よりも高い、請求項１から請求項７のいずれか１項に記載の吸収性物品。
【請求項９】
前記センターシートの非肌面側に位置する吸収コアを有し、
前記起立部の前記少なくとも一部は、前記吸収コアよりも前記幅方向の外側に位置する、請求項１から請求項８のいずれか１項に記載の吸収性物品。
【請求項１０】
前記センターシートの非肌面側に位置する吸収コアと、少なくとも前記吸収コアと前記センターシートを厚み方向に圧縮した圧搾部と、を有し、
前記圧搾部は、前記前後方向に延び、かつ前記幅方向に間隔を空けて配置された一対の前後圧搾部を有し、
前記前後圧搾部よりも前記幅方向の外側には、前記センターシートと前記サイドシートを厚み方向に圧縮したシート圧搾部が形成されている、請求項１から請求項９のいずれか１項に記載の吸収性物品。
【請求項１１】
前記センターシートの非肌面側に位置する吸収コアを有し、
前記起立部は、前記吸収コアにおいて吸収材量の坪量が最も高い高坪量部よりも前記幅方向の外側に位置する、請求項１から請求項１０のいずれか1項に記載の吸収性物品。
【発明の詳細な説明】
【技術分野】
【０００１】
本発明は、生理用ナプキン等の吸収性物品に関する。
【背景技術】
【０００２】
従来、吸収性物品としての生理用ナプキンが知られている。例えば、特許文献１には、吸収コアと、吸収コアの肌面側に配置されたトップシートと、を有し、トップシートにコットン繊維が配合された吸収性物品が開示されている。特許文献１の吸収性物品は、トップシートにコットン繊維が配合されているため、トップシートの触り心地を向上できる。
【先行技術文献】
【特許文献】
【０００３】
【特許文献１】特開２０１０−２６９０２９号公報
【発明の概要】
【発明が解決しようとする課題】
【０００４】
一般的に、コットン繊維を有するトップシートは、湿潤前における肌へ当たりが柔らかく、触り心地を向上できる一方、湿潤後における摩擦係数が高くなり易く、肌に対して擦れた際の触り心地が低下するおそれがあった。特に、着用時には、着用者の脚と吸収性物品の外側部が擦れやすく、脚に対する触り心地が低下することがあった。
【０００５】
また、コットン繊維を有しないトップシートによって吸収性物品を構成し、湿潤時における摩擦係数を低減することが考えられる。しかし、湿潤時における摩擦係数が低いと、排泄口に対するフィット性が低下し、漏れが発生するおそれがあった。
【０００６】
よって、着用時の脚に対する触り心地の低下を抑制しつつ、排泄口に対するフィット性を向上させ、漏れを抑制できる吸収性物品を提供する。
【課題を解決するための手段】
【０００７】
一態様に係る吸収性物品は、互いに直交する前後方向及び幅方向と、着用者の肌に向けられるトップシートと、を有し、前記トップシートは、前記吸収性物品の前記幅方向の中央に配置されたセンターシートと、前記センターシートよりも前記幅方向の外側に配置されたサイドシートと、を有する吸収性物品であって、前記サイドシートは、非折り返し部と、前記サイドシートの外側縁において非肌面側に向かって折り返された折り返し部と、を有し、前記サイドシートの外側縁から幅方向の内側に延びる領域には、前記折り返し部が、当該折り返し部よりも非肌面側に位置する非肌面側シートに対して接合されていない起立部が設けられており、前記トップシートが湿潤した湿潤時における前記センターシートの動摩擦係数は、前記湿潤時における前記サイドシートの動摩擦係数よりも高い。
【図面の簡単な説明】
【０００８】
【図１】図１は、肌面側から見た実施形態に係る吸収性物品の平面図である。
【図２】図２は、図１に示すＦ−Ｆ線に沿った断面図である。
【図３】図３は、図１に示すＦ−Ｆ線に沿った断面における着用状態を模式的に示した図である。
【図４】図４は、センターシートの外側縁とサイドシートの外側縁の拡大図である。
【図５】図５は、トップシートの動摩擦係数による表面特性の評価結果を示した表である。
【発明を実施するための形態】
【０００９】
（１）実施形態の概要
本明細書及び添付図面の記載により、少なくとも以下の事項が明らかとなる。
一態様に係る吸収性物品は、互いに直交する前後方向及び幅方向と、着用者の肌に向けられるトップシートと、を有し、前記トップシートは、前記吸収性物品の前記幅方向の中央に配置されたセンターシートと、前記センターシートよりも前記幅方向の外側に配置されたサイドシートと、を有する吸収性物品であって、前記サイドシートは、非折り返し部と、前記サイドシートの外側縁において非肌面側に向かって折り返された折り返し部と、を有し、前記サイドシートの外側縁から幅方向の内側に延びる領域には、前記折り返し部が、当該折り返し部よりも非肌面側に位置する非肌面側シートに対して接合されていない起立部が設けられており、前記トップシートが湿潤した湿潤時における前記センターシートの動摩擦係数は、前記湿潤時における前記サイドシートの動摩擦係数よりも高い。
【００１０】
センターシートは、排泄口に当接して配置される。当該センターシートの湿潤時の動摩擦係数が高いため、排泄口に対するフィット性を維持し、漏れを抑制できる。サイドシートは、着用者の脚に当接して配置される。当該サイドシートの湿潤時の動摩擦係数が低いため、吸収性物品の外側部と脚が擦れた際に、肌に対する摩擦が少なく、触り心地の悪化を抑制できる。また、サイドシートの外側縁から幅方向に延びる一定の領域は、肌面側に起立する起立部を有し、非肌面側シートに対して起立可能に構成されている。よって、トップシートよりも幅方向の外側に位置する吸収性物品の外側部の肌への当たりを抑制し、吸収性物品の外側部と脚が擦れた際における触り心地の悪化を抑制できる。よって、着用時の脚に対する触り心地の低下を抑制しつつ、排泄口に対するフィット性を向上させて漏れを抑制できる。
【００１１】
好ましい一態様によれば、前記サイドシートの前記非折り返し部は、前記センターシートよりも肌面側に位置してよい。
【００１２】
吸収性物品の外側部と脚が擦れた際における触り心地の悪化をより抑制できる。また、非折り返し部がセンターシートの肌面側に位置するため、センターシートの幅方向の外側に非折り返し部による壁を設けることができ、横漏れを抑制できる。
【００１３】
好ましい一態様によれば、前記サイドシートの前記非折り返し部は、前記センターシートよりも非肌面側に位置し、前記センターシートの外側部が前記サイドシートに接合されていないセンター非接合領域が設けられてよい。
【００１４】
センター非接合領域が設けられていることにより、センターシートの外側縁が柔軟に変形しやすく、センターシートが脚に当たった場合であっても、肌触りの悪化を抑制できる。
【００１５】
好ましい一態様によれば、前記起立部の前記幅方向の長さは、前記センター非接合領域の幅方向の長さよりも長くてよい。
【００１６】
センター非接合領域では、センターシートがサイドシートから更に立ち上がる壁を形成できる。そのため、肌面側に起立する起立部と、起立部におけるサイドシートから更にセンターシートが肌面側に起立する壁と、を形成し、漏れをより抑制できる。センターシートが肌面側に起立する壁の幅方向の長さが比較的短いため、起立部が起立しやすく、起立部がより肌面側に起立しやすくなる。
【００１７】
好ましい一態様によれば、前記トップシートよりも前記幅方向の外側に延出し、かつ着用者の肌に向けられる延出シートを有し、前記湿潤時における前記延出シートの動摩擦係数は、前記湿潤時における前記トップシートの動摩擦係数よりも低くてよい。
【００１８】
延出シートが着用時に脚に触れた場合であっても当該延出シートによる肌触りの悪化を抑制できる。特に、延出シートを非肌面側に折り返すことができないボクサーパンツ等の下着の装着時に、好適に効果を発揮できる。
【００１９】
好ましい一態様によれば、前記センターシートは、保水性繊維を有し、前記サイドシートは、熱可塑性樹脂繊維を有してよい。
【００２０】
保水性繊維を有するセンターシートによって体液を保持しやすく、サイドシート側への体液の拡散を抑制できる。サイドシートに体液を保持しすぎないため、サイドシートを介して肌が湿潤状態となり難く、吸収性物品の外側部と脚が擦れた際における触り心地の悪化を抑制できる。
【００２１】
好ましい一態様によれば、前記センターシートは、第１層と、前記第１層の非肌面側に位置する第２層と、を有し、前記保水性繊維は、前記第１層側に偏倚しており、前記熱可塑性樹脂繊維は、前記第２層側に偏倚しており、前記保水性繊維は、コットン繊維であってよい。
【００２２】
肌に直接触れる第１層にコットン繊維が偏倚して配置されており、肌触りを向上できる。また、肌から離れた第２層に熱可塑性樹脂繊維が配置されており、肌に直接触れない部分において熱可塑性繊維によって繊維同士を熱溶着できる。センターシートにおける繊維の接合強度を高め、長時間の使用であってもセンターシートの繊維が分解せずに、着用時の脚に対する触り心地の低下を抑制しつつ、排泄口に対するフィット性を向上させて漏れを抑制する効果を得続けることができる。
【００２３】
好ましい一態様によれば、前記センターシートの非肌面側に位置する吸収コアと、少なくとも前記吸収コアと前記センターシートを厚み方向に圧縮した圧搾部と、を有し、前記吸収コアは、パルプと高吸収性ポリマーを有し、前記圧搾部は、前記前後方向に延び、かつ前記幅方向に間隔を空けて配置された一対の前後圧搾部を有し、前記前後圧搾部よりも前記幅方向の外側に位置する第１領域における前記高吸収性ポリマーの坪量は、前記前後圧搾部によって挟まれた第２領域における前記高吸収性ポリマーの坪量よりも高くてよい。
【００２４】
吸収性物品が着用された状態において着用者の脚によって挟まれることにより、吸収性物品には幅方向内側に向かう力がかかる。第１領域は、前後圧搾部を基点に第２領域に対して肌面側に立ち上がり、着用者の脚に当たり易い。第１領域は、高吸収性ポリマーの坪量が高く、湿潤時に膨張してクッション性が高くなりやすい。よって、着用者の脚に対する当たりを和らげ、触り心地の悪化を抑制できる。
【００２５】
好ましい一態様によれば、前記センターシートの非肌面側に位置する吸収コアを有し、前記起立部の前記少なくとも一部は、前記吸収コアよりも前記幅方向の外側に位置してよい。
【００２６】
ウイングを有するナプキン等の吸収性物品は、吸収コアよりも幅方向の外側の領域を下着の非肌面側に固定する。剛性の高い吸収コアよりも幅方向の外側に着用者側に起立する起立部を設けられているため、下着に吸収性物品を装着した際に起立部がより立ち上がりやすくなる。
【００２７】
好ましい一態様によれば、前記センターシートの非肌面側に位置する吸収コアと、少なくとも前記吸収コアと前記センターシートを厚み方向に圧縮した圧搾部と、を有し、前記圧搾部は、前記前後方向に延び、かつ前記幅方向に間隔を空けて配置された一対の前後圧搾部を有し、前記前後圧搾部よりも前記幅方向の外側には、センターシートと前記サイドシートを厚み方向に圧縮したシート圧搾部が形成されてよい。
【００２８】
センターシートとサイドシートをシート圧搾部によって接合でき、センターシートとサイドシートを別々の部材によって構成しても、トップシートが分解せずに、着用時の脚に対する触り心地の低下を抑制しつつ、排泄口に対するフィット性を向上させて漏れを抑制する効果を得続けることができる。
【００２９】
好ましい一態様によれば、前記センターシートの非肌面側に位置する吸収コアを有し、前記起立部は、前記吸収コアにおいて吸収材量の坪量が最も高い高坪量部よりも前記幅方向の外側に位置してよい。
【００３０】
使用前の吸収性物品は、折り線を基点に折り畳まれて、厚さ方向に複数積層されて収容体内に収容されている。または、折り線を基点に折り畳まれずに、厚さ方向に積層されて収容体内に積層されている。また、吸収性物品は、吸収コアの厚さが最も厚く、積層された状態では、吸収コアの最も厚さが厚い高坪量部が押圧される。起立部が高坪量部よりも幅方向の外側に位置するため、高坪量部に圧力がかかった場合であっても起立部が潰れにくく、起立性を維持しやすい。
【００３１】
（２）吸収性物品の構成
以下、図面を参照して、実施形態に係る吸収性物品ついて説明する。吸収性物品は、生理用ナプキン、パンティライナー、母乳パッド、大人用失禁パッド、糞便パッド又は汗取りシートのような吸収性物品であってよい。特に、吸収性物品は、使用者の下着のような着用物品の内側に取り付けられて使用される物品であってよい。
【００３２】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３３】
図１は、肌面側から見た実施形態に係る吸収性物品１の平面図である。ここで、「肌面側」は、使用中に着用者の肌に面する側に相当する。「非肌面側」は、使用中に着用者の肌とは反対に向けられる側に相当する。図２は、図１に示すＦ−Ｆ線に沿った断面図である。図２においては、説明の便宜上、後述する圧搾部については省略している。
【００３４】
吸収性物品１は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００３５】
吸収性物品１は、前側領域Ｒ１と、後側領域Ｒ２と、中央領域Ｒ３と、を含む。中央領域Ｒ３は、吸収性物品の前後方向の中心を跨いで配置されており、着用者の排泄口（例えば膣口）に対向する排泄口当接部を含む。吸収性物品１が下着に装着されたときに、中央領域Ｒ３は、下着の股下部に位置し、着用者の股下、すなわち着用者の両足の間に配置される領域である。
【００３６】
前側領域Ｒ１は、中央領域Ｒ３よりも前側に位置する。前側領域Ｒ１の前端縁は、吸収性物品１の前端縁を規定する。後側領域Ｒ２は、中央領域Ｒ３よりも後側に位置する。後側領域Ｒ２の後端縁は、吸収性物品１の後端縁を規定する。
【００３７】
中央領域Ｒ３には、ウイング３が設けられていてよい。また、後側領域Ｒ２には、幅方向Ｗの外側に膨らんだヒップフラップが設けられていてもよい。ウイング３の前端縁は、ウイング３の付け根によって規定されており、最も幅方向Ｗの内側に窪んだ２つの部分のうち、前側に位置する部分に相当する。ウイング３の前端縁は、中央領域Ｒ３と前側領域Ｒ１との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、中央領域Ｒ３と後側領域Ｒ２との境界を規定していてもよい。
【００３８】
吸収性物品１は、着用者の肌に向けられるトップシート１０と、トップシート１０よりも非肌面側に配置される非肌面側シート２０と、吸収コア３１と、を少なくとも有する。トップシート１０は、吸収コア３１よりも肌面側Ｔ１に設けられる。トップシート１０は、前側領域Ｒ１から後側領域Ｒ２まで前後方向Ｌに延びていてよい。
【００３９】
トップシート１０は、吸収性物品の幅方向の中央に配置されたセンターシート１１と、センターシート１１よりも幅方向の外側に配置されたサイドシート１２と、を有する。センターシート１１とサイドシート１２は、吸収コア３１の肌面側Ｔ１において肌に当接するように構成されている。センターシート１１は、幅方向Ｗにおける吸収コア３１の中央部を覆ってよい。サイドシート１２は、センターシート１１よりも非肌面側Ｔ２に配置されてよいし、センターシート１１よりも肌面側Ｔ１に配置されてよい。本実施の形態のサイドシート１２は、センターシート１１よりも非肌面側Ｔ２に配置されている。
【００４０】
サイドシート１２は、非折り返し部１２Ａと、非折り返し部１２Ａの外側縁１２Ｅにおいて非肌面側Ｔ２に向かって折り返された折り返し部１２Ｂと、を有する。非折り返し部１２Ａの外側縁は、サイドシート１２の外側縁１２Ｅを構成する。折り返し部１２Ｂは、非折り返し部１２Ａよりも非肌面側に位置する。非折り返し部１２Ａと折り返し部１２Ｂの間には、他の部材が配置されていなくてもよいし、センターシート、吸収コア等の部材が配置されていてもよい。
【００４１】
センターシート１１は、保水性繊維を含む。保水性繊維は、コットン繊維を例示できる。センターシート１１は、保水性繊維の水流交絡によって形成されている。コットン繊維の繊維径は、0.9-1.2Dtexであってよく、コットン繊維の繊維長は、25.4-29.4ｍｍであってよい。センターシート１１は、コットン不織布を例示できる。コットン不織布の目付は、30ｇ／ｍ２であってよい。センターシート１１は、保水性繊維(コットン、レーヨンを例示)を含み、その目付は、20〜50g/m2であってよい。センターシート１１の目付が、20g/m2未満になると、肌触りが低下するおそれがあり、センターシート１１の目付が、50g/m2よりも大きいと、体液を保持し過ぎ、リウェットが生じるおそれがある。
【００４２】
サイドシート１２は、熱融着性繊維を含む。サイドシート１２は、熱融着性繊維の融着によって形成されている。サイドシート１２は、非肌面側Ｔ２に折り返されていない非折り返し部と、サイドシート１２の外側縁１２Ｅにおいて非肌面側Ｔ２に向かって折り返された折り返し部と、を有する。サイドシート１２の折り返し部は、非肌面側シート２０に接合されている。
【００４３】
非肌面側シート２０は、サイドシート１２の折り返し部１２Ｂが接合される。非肌面側シート２０は、トップシート１０（センターシート１１及びサイドシート１２）よりも幅方向の外側に延びてよい。非肌面側シート２０は、センターシート１１及びサイドシート１２の非肌面側Ｔ２に配置されており、センターシート１１及びサイドシート１２を覆っていない。本実施の形態の非肌面側シート２０は、トップシート１０よりも幅方向の外側に延出し、かつ着用者の肌に向けられており、本発明の延出シートを構成する。
【００４４】
非肌面側シート２０は、幅方向Ｗに間隔を空けて左右一対で設けられてよい。非肌面側シート２０の内側縁２０Ｉは、吸収性物品の幅方向の中心に到達してなく、折り返し部１２Ｂの内側縁に一致してよいし、吸収コア３１の外側縁よりも幅方向の内側に位置してよい。非肌面側シート２０は、熱可塑性繊維樹脂を有する不織布によって構成されてよい。熱可塑性樹脂繊維は、疎水性を有しており、撥水剤が塗布されていてもよい。
【００４５】
非肌面側シート２０の非肌面側Ｔ２には、バックシート２５が配置されてよい。バックシート２５は、吸収コア３１の非肌面を覆う。すなわち、吸収コア３１は、バックシート２５とトップシート１０の間に配置されてよい。バックシート２５は、液不透過性のシートである。バックシート２５は、非伸縮性のポリエチレンシート、ポリプロピレン等を主体としたラミネート不織布、通気性の樹脂フィルム、スパンボンド、又はスパンレース等の不織布に通気性の樹脂フィルムが接合されたシート、伸縮性のウレタンフィルム、ナノファイバーを含む不織布などを用いることができる。
【００４６】
吸収コア３１は、少なくとも中央領域Ｒ３及び後側領域Ｒ２に配置される。また、吸収コア３１は、中央領域Ｒ３から前側領域Ｒ１まで延びていてもよい。吸収コア３１は、液体を吸収する吸収材料を含む。吸収コア３１は、コアラップによって包まれていてもよい。吸収コア３１を構成する吸収材料は、例えば、親水性繊維、パルプ及び高吸水性高分子（ＳＡＰ）から形成できる。本実施の形態の吸収コア３１は、パルプとＳＡＰを有する。コアラップは、例えば不織布やティッシュシートから構成することができる。
【００４７】
図２に示すように、吸収コアは、吸収材料の坪量が高い高坪量部３３と、高坪量部３３と比較して目付が低い低坪量部３４と、を有してよい。高坪量部３３は、吸収コアの幅方向の中心を跨いで配置されてよく、一対の前後圧搾部６５の間に配置されてよい。
【００４８】
前述したように、吸収性物品１は、ウイング３を有する。ウイング３は、中央領域Ｒ３における吸収コア３１の外側縁よりも幅方向Ｗの外側に延出している。ウイング３は、非肌面側シート２０とバックシート２５との積層によって構成されていてよい。ウイング３は、バックシート２５側に折り返し可能に構成されている。ウイング３は、使用時に下着のクロッチ部の非肌面側に折り返される。
【００４９】
吸収性物品１は、少なくともトップシート１０と吸収コア３１を厚さ方向に圧縮した圧搾部６０を有する。圧搾部６０は、少なくともトップシート１０と吸収コア３１が圧縮されていればよく、これら以外のシート（例えば、コアラップ）も圧縮されていてもよい。圧搾部６０は、図１に示すように、前後方向に延びており、幅方向に間隔を空けて一対で設けられている。前後圧搾部６５は、中央領域に設けられ、少なくともセンターシート１１と吸収コア３１を圧縮することによって形成されている。
【００５０】
サイドシート１２の外側縁１２Ｅから幅方向の内側に延びる領域には、サイドシート１２の折り返し部１２Ｂが、折り返し部１２Ｂよりも非肌面側に位置する非肌面側シート２０に対して接合されていない起立部１５が設けられている。起立部１５は、サイドシート１２の折り返し部１２Ｂと非肌面側シート２０が接合されていない非接合領域Ｒ１２によって構成されている。非接合領域Ｒ１２よりも幅方向の内側には、折り返し部１２Ｂが非肌面側シート２０に接合された接合領域Ｒ１１が設けられている。接合領域Ｒ１１は、平面視にて、折り返し部１２Ｂと非肌面側シート２０を接合する接合部１４が設けられた領域である。非接合領域Ｒ１２は、平面視にて、接合部１４よりも幅方向の外側において接合部１４が設けられていない領域である。なお、接合部１４が複数形成された形態にあっては、非接合領域Ｒ１２は、複数の接合部のうち最も幅方向の外側に位置する接合部１４よりも幅方向の外側の領域となる。接合領域Ｒ１１は、サイドシート１２の折り返し線と離間して設けられている。非接合領域Ｒ１２の起立部１５は、接合部１４を基点に肌面側に起立可能である。
【００５１】
次いで、図３に基づいて、着用状態の吸収性物品について説明する。図３は、図１に示すＦ−Ｆ線を基準とした断面において、吸収性物品１を下着Ｓに装着した状態を模式的に示している。図３に示すように、吸収性物品が着用された状態では、吸収性物品の幅方向の中央は、下着Ｓの肌面側Ｔ１に配置され、吸収性物品のウイング３は、非肌面側にウイング粘着部（図示せず）を有しており、下着Ｓの非肌面側Ｔ２に折り返され、下着の非肌面側に固定されている。吸収性物品の起立部１５は、非肌面側シート２０に対して起立可能に構成されており、着用時に脚の内側に当たりやすい。
【００５２】
本発明に係る吸収性物品は、着用時の脚に対する触り心地の低下を抑制しつつ、排泄口に対するフィット性を向上させて、漏れを抑制するように構成されている。トップシートが湿潤した湿潤時におけるセンターシート１１の動摩擦係数は、湿潤時におけるサイドシート１２の動摩擦係数よりも高い。センターシート１１は、排泄口に当接して配置される。当該センターシート１１の湿潤時の動摩擦係数が高いため、排泄口に対するフィット性を維持し、漏れを抑制できる。また、サイドシート１２は、着用者の脚に当接して配置される。当該サイドシート１２の湿潤時の動摩擦係数が低いため、吸収性物品１の外側部と脚が擦れた際に、肌に対する摩擦が少なく、触り心地の悪化を抑制できる。
【００５３】
また、サイドシートの外側縁から幅方向に延びる一定の領域は、肌面側に起立する起立部１５を有し、非肌面側シートに対して起立可能に構成されている。よって、トップシート１０よりも幅方向の外側に位置する吸収性物品の外側部の肌への当たりを抑制し、吸収性物品の外側部と脚が擦れた際における触り心地の悪化を抑制できる。よって、着用時の脚に対する触り心地の低下を抑制しつつ、排泄口に対するフィット性を向上させて漏れを抑制できる。
【００５４】
ここで、湿潤時の動摩擦係数は、以下の方法によって測定できる。吸収性物品のセンターシートとサイドシートを切断し、幅方向４０ｍｍ、前後方向８０ｍｍのサンプルを切り取る。ＨＭＡ型接着剤等の接着剤によって分離できない場合には、トルエンを用いて接着剤を洗い落した上で、２４時間大気中で乾燥させる。各サンプルの前後方向の端部１０ｍｍを水平な板にガムテープ（アスクル株式会社：「現場のチカラ」 布テープ 0.26mm厚 幅50mm×長さ25m巻）にて固定する。各サンプル上に、デジタルフォースゲージ（日本電産シンポ株式会社, FGP-2）と端部10mmを全面接合したカナキン（50mm×40mm, JIS L 0803準拠 染色堅牢度試験用添付白布、一般財団法人日本規格協会、単一繊維布）を設置する。更にその上から底面35mm×25mmの直方体である525gの錘を乗せる。所定量のイオン交換水にて略平均的に湿潤させたカナキンを100mm/minにてシート上３０ｍｍ移動させた際に表示された最大値を動摩擦力とした。このとき、各サンプルの着用者に向けられる面にカナキンを当てるようにする。当該測定方法においては、カナキンを濡らすことによって、濡れた肌を再現している。当該再現する肌水分量は、湿潤時の60%を目安とする。よって、イオン交換水の所定量は、カナキン重量に対して60wt/%とする。具体的には、40mm*50mmのカナキンが50目付の場合には、0.06mL(50g／m2*0.04m*0.05m*60%)とする。なお、シートが上記幅で採取できない場合には、採取できる最大幅にてサンプルを採取し、評価する。その上でシート面積内に収まり、かつ30g/cm2となる錘と、錘幅+10mm(デジタルフォースゲージの接続部分）のカナキンを乗せ、100mm/minにてシート上を最大距離移動させた際に表示された最大値を動摩擦力とする。
【００５５】
本実施の形態では、センターシート１１の湿潤時の動摩擦係数は、０．８０であり、サイドシート１２の湿潤時の動摩擦係数は、０．４９である。また、センターシートの動摩擦係数とサイドシートの動摩擦係数の差は、０．１以上０．２５以下であってよい。動摩擦係数の差が、０．１以上であることにより、センターシートとサイドシートの表面特性の違いを使用者が感じ易くなる。
【００５６】
サイドシート１２の非折り返し部１２Ａは、センターシート１１よりも肌面側Ｔ１に位置してよい。吸収性物品の外側部と脚が擦れた際における触り心地の悪化をより抑制できる。また、非折り返し部１２Ａがセンターシート１１の肌面側Ｔ１に位置するため、センターシート１１よりも幅方向の外側に起立部１５による壁を設けることができ、横漏れを抑制できる。
【００５７】
図４に示すように、センターシート１１とサイドシート１２が重なる領域には、センターシート１１とサイドシート１２が接合されたセンター接合領域ＲＸと、センターシート１１とサイドシート１２が接合されてないセンター非接合領域ＲＹと、が設けられている。センター接合領域ＲＸは、センターシート１１の外側縁１１Ｅよりも幅方向の内側に位置する。よって、センターシート１１の外側縁１１Ｅから幅方向Ｗの内側に延びる領域には、センター非接合領域ＲＹが設けられている。
【００５８】
吸収性物品には、センターシート１１とサイドシート１２を接合する接着材が塗布された接着領域ＲＡと、センターシートに形成された圧縮部１８と、が設けられている。センター接合領域ＲＸは、センターシート１１とサイドシート１２が接合された領域であり、具体的には、圧縮部１８と接着領域ＲＡが厚さ方向Ｔに重なる領域、圧縮部１８のみが設けられた領域、及び接着領域ＲＡのみが設けられた領域を含む。センター非接合領域ＲＹは、圧縮部１８が設けられてなく、かつ接着領域ＲＡが設けられてない領域である。なお、他の形態において、センター接合領域ＲＸは、圧搾部が設けられた領域のみによって構成されてもよいし、接着領域が設けられた領域のみによって構成されてもよい。
【００５９】
センターシート１１の外側部がサイドシート１２に接合されていないセンター非接合領域ＲＹが設けられていることにより、センターシート１１の外側縁が柔軟に変形しやすく、センターシート１１が脚に当たった場合であっても、肌触りの悪化を抑制できる。
【００６０】
起立部１５の幅方向の長さは、センター非接合領域ＲＹの幅方向の長さよりも長くてよい。センター非接合領域ＲＹでは、センターシート１１がサイドシート１２から更に立ち上がる壁を形成できる。そのため、サイドシート１２が起立する起立部１５と、起立部１５から更にセンターシート１１が肌面側に起立する壁と、を形成し、漏れをより抑制できる。このとき、センターシートが肌面側に起立する壁の幅方向の長さが比較的短いため、起立部が起立しやすく、起立部がより肌面側に起立しやすくなる。
【００６１】
起立部１５の少なくとも一部は、吸収コア３１の外側縁３１Ｅよりも幅方向の外側に位置してよい。ウイングを有するナプキン等の吸収性物品は、吸収コアよりも幅方向の外側の領域を下着の非肌面側に固定する。剛性の高い吸収コアよりも幅方向の外側に着用者側に起立する起立部を設けられているため、下着に吸収性物品を装着した際に起立部がより立ち上がりやすくなる。
【００６２】
延出シートとしての非肌面側シート２０の動摩擦係数は、湿潤時におけるトップシートの動摩擦係数よりも低くてよい。延出シートが着用時に脚に触れた場合であっても当該延出シートによる肌触りの悪化を抑制できる。特に、延出シートを非肌面側に折り返すことができないボクサーパンツ等の下着の装着時に、好適に効果を発揮できる。
【００６３】
センターシート１１は、保水性繊維を有し、サイドシート１２は、熱可塑性樹脂繊維を有してよい。保水性繊維を有するセンターシート１１によって体液を保持しやすく、サイドシート側への体液の拡散を抑制できる。サイドシート１２に体液を保持しすぎないため、サイドシート１２を介して肌が湿潤状態となり難く、吸収性物品の外側部と脚が擦れた際における触り心地の悪化を抑制できる。
【００６４】
センターシート１１は、第１層１１１と、第１層１１１の非肌面側に位置する第２層１１２と、を有する２層構造であってもよい。保水性繊維は、第１層１１１側に偏倚しており、熱可塑性樹脂繊維は、第２層１１２側に偏倚してよい。より好適には、センターシート１１は、保水性繊維を含む第１層１１１と、保水性繊維及び熱可塑性樹脂繊維を含む第２と、によって構成されてよい。第１層１１１の肌面側の表面は、センターシート１１の肌面側の表面を構成する。第１層１１１の非肌面側の表面は、第２層１１２の肌面側の表面に接する。第２層１１２の非肌面側の表面は、センターシート１１の非肌面側の表面を構成する。よって、センターシート１１は二層構造を有する。ただし、センターシート１１は、第１層１１１及び第２層１１２のいずれか一層を有する一層構造でもよく、他の繊維層を更に備える三層以上の多層構造でもよい。
【００６５】
肌に直接触れる第１層１１１にコットン繊維が偏倚して配置されており、肌触りを向上できる。また、肌から離れた第２層１１２に熱可塑性樹脂繊維が配置されており、肌に直接触れない部分において熱可塑性繊維によって繊維同士を熱溶着できる。センターシートにおける繊維の接合強度を高め、長時間の使用であってもセンターシートの繊維が分解せずに、着用時の脚に対する触り心地の低下を抑制しつつ、排泄口に対するフィット性を向上させて漏れを抑制する効果を得続けることができる。
【００６６】
本実施の形態のセンターシート１１は、コットン繊維１００％の第１層１１１と、コットン繊維８０％と熱融着性繊維２０％の第２層１１２と、の積層シートによって構成されている。センターシート１１の破断伸度は、繊維の配向方向に沿った強度が３０〜７０Ｎ/25mmであってよく、繊維の配向方向と直交方向の強度が５〜１０Ｎ/25mmであってよい。
【００６７】
このようなセンターシート１１の製造方法の一例を説明する。まず、第１カード機により、第２層１１２に対応する第２繊維ウェブが形成される。第１カード機は、繊維ウェブの形成に一般的に用いられるシングルカード又はダブルカードを使用した乾式のローラーカードである。第２繊維ウェブは、保水性繊維及び疎水性繊維を含む。次いで、第２カード機により、第１層１１１に対応する第１繊維ウェブが形成される。第２カード機も第１カード機と同様の乾式のローラーカードである。第１繊維ウェブは保水性繊維を含む。第１繊維ウェブは、搬送装置で搬送中の第２繊維ウェブ上に積層される。それにより、第１繊維ウェブと第２繊維ウェブとが積層された二層構造の複合繊維ウェブが形成される。なお、各繊維ウェブにおける各繊維の比率は各カード機に供給する原料繊維の比率で制御可能である。次に、二層構造を有する複合繊維ウェブは、ウォータージェット処理機によりウォータージェット処理を施され、繊維同士が交絡される。それにより、第１連続シート（スパンレース不織布）が形成される。ここで、ウォータージェット処理は、複合繊維ウェブを連続して移動するメッシュベルト上に載せ、複合繊維ウェブの上面側から高圧ジェット水流を噴射させて繊維どうしを交絡させる処理である。その後、ウォータージェット処理機を通過した第１連続シートは、乾燥機により乾燥される。乾燥された第１連続シートは、搬送装置により搬送方向に搬送されて、センターシート１１を構成する連続体となる。このように構成されたセンターシート１１では、第１層１１１における保水性繊維の割合が第２層１１２における保水性繊維の割合よりも高く、第１層１１１における熱可塑性樹脂繊維の割合が第２層１１２における熱可塑性樹脂繊維の割合よりも低くなる。
【００６８】
また、第２層１１２の繊維密度は、第１層１１１の繊維密度よりも大きいことが好ましい。なお、繊維密度は、繊維本数の密度とする。それにより、第１層１１１から第２層１１２へ向かって繊維密度が高くなるように繊維密度の勾配を形成して、第１層１１１の液状排泄物を第２層１１２に強く引き込むことができる。そして、第２層１１２の非肌側に接する吸収コア等へ液状排泄物を安定的に移行させることができる。
【００６９】
ここで、シートの繊維密度は、例えば以下の測定方法で測定される。
（１）センターシート１１を１０ｍｍ×１０ｍｍの大きさに切り出して試料とする。（２）試料の厚さ方向Ｔに平行な切断面を、走査電子顕微鏡（日本電子株式会社製：ＪＣＭ−５１００）を用いて、拡大観察する。倍率は、３０〜６０本の繊維の断面が一画面内に計測できる倍率（例示：１５０〜５００倍）とする。（３）観察領域を厚さ方向Ｔに肌面側の層と非肌面側の層に二等分し、肌面側の層を第１層１１１とし、非肌面側の層を第２層１１２とした上で、各繊維層における繊維の断面の数を測定する。すなわち、所定面積の切断面において、切断されている繊維の断面の数を数える。（４）得られた繊維の断面の数を１ｍｍ２ 当たりの繊維の断面の数に換算し、これを繊維密度（本／ｍｍ２）とする。測定は３ヶ所行い、測定値の平均値をその試料の繊維密度とする。すなわち、繊維密度として、繊維本数の密度を用いている。言い換えると、繊維密度として、厚さ方向Ｔに平行な断面における単位面積当たりの繊維の本数を用いている。なお、繊維密度として、単位体積当たりの繊維の本数を用いてもよい。単位体積当たりの繊維の本数は、例えばＸ線ＣＴによる解析で求めることができる。単位面積当たりの繊維密度と、単位体積当たりの繊維密度とでは、数値は異なるが、繊維層間での繊維密度の相対的な比較（例示：大小の比較）では同じになる。
【００７０】
吸収性物品の吸収コアが配置された領域には、前後圧搾部６５よりも幅方向の外側に位置する第１領域Ｒ３１と、一対の前後圧搾部６５によって挟まれた第２領域Ｒ３２と、が設けられる。図１において、図１のＦ−Ｆ線に沿った断面における第１領域Ｒ３１の幅方向の範囲と、第２領域の幅方向の範囲と、を示す。第１領域Ｒ３１における高吸収性ポリマーの坪量は、第２領域Ｒ３２における高吸収性ポリマーの坪量よりも高くてよい。吸収性物品が着用された状態において着用者の脚によって挟まれることにより、吸収性物品には幅方向の内側に向かう力がかかる。これにより、第１領域Ｒ３１は、前後圧搾部６５を基点に第２領域Ｒ３２に対して肌面側に立ち上がり、着用者の脚に当たり易い。第１領域Ｒ３１は、高吸収性ポリマーの坪量が高く、湿潤時に膨張してクッション性が高くなりやすい。よって、着用者の脚に対する当たりを和らげ、触り心地の悪化を抑制できる。
【００７１】
前後圧搾部６５よりも幅方向の外側には、センターシート１１とサイドシート１２を厚み方向に圧縮したシート圧搾部１６が形成されてよい。センターシート１１とサイドシート１２をシート圧搾部１６によって接合でき、センターシート１１とサイドシート１２を別々の部材によって構成しても、トップシート１０が分解せずに、着用時の脚に対する触り心地の低下を抑制しつつ、排泄口に対するフィット性を向上させて漏れを抑制する効果を得続けることができる。
【００７２】
起立部１５は、吸収コア３１において吸収材量の坪量が最も高い高坪量部３３よりも幅方向Ｗの外側に位置してよい。一般的に、使用前の吸収性物品は、折り線を基点に折り畳まれて、厚さ方向に複数積層されて収容体内に収容されている。または、折り線を基点に折り畳まれずに、厚さ方向に積層されて収容体内に積層されている。また、吸収性物品は、吸収コア３１の厚さが最も厚く、積層された状態では、吸収コア３１の高坪量部３３が押圧される。起立部１５が高坪量部３３よりも幅方向の外側に位置するため、高坪量部に圧力がかかった場合であっても起立部が潰れにくく、起立性を維持しやすい。
【００７３】
次いで、トップシートの動摩擦係数による表面特性の評価について説明する。表面特性の評価は、実施例１から実施例７に係るトップシートと、比較例１から比較例６に係るトップシートと、を用いて、表面触り心地と違和感のモニターによる評価を行った。評価結果を図５に示す。トップシートを構成するセンターシートとサイドシートのそれぞれの資材については、図５に示している。また、動摩擦係数の測定は、上述の測定方法によって測定した。表面特性の評価は、各サンプルに係るトップシートを、上述の実施形態に係る吸収性物品に適用し、モニターに生理期間中に5枚使用した後に、サンプル毎に評価を行った。触り心地の評価は、装着時の触感評価を３段階（○、△、×）で行い、違和感の評価は、装着後2時間経過時に10歩歩いた際の肌への擦れ度合を３段階（○、△、×）で行った。
【００７４】
図５に示すように、評価結果によれば、センターシートの動摩擦係数がサイドシートの動摩擦係数よりも高いことにより、触り心地触と違和感の評価共に、「×」がなく、好適な結果を得ることができた。センターシートの動摩擦係数とサイドシートの動摩擦係数の差は、0.26〜0.35が好ましい。
【００７５】
また、本発明に係るトップシートは、センターシートが体液をより吸収するように構成されている。この体液の吸収性能の評価は、ニンヒドリンの呈色反応後の色によって評価するこができる。ニンヒドリン反応による評価においては、カナキンを濡らすことによって、濡れた肌を再現できる。当該再現する肌水分量は、湿潤時の60%を目安とする。よって、人口汗の所定量は、カナキン重量に対して60wt/%とする。カナキンを人口汗（林  純薬工業株式会社：人口汗液（酸性）  製品コード：M9-17  商品コード44008785  又は   人口汗（アルカリ性）  製品コード：M9-18  商品コード：44008775）にて略平均的に湿潤させ、更にその上から底面35mm×25mmの直方体である525gの錘を乗せる。カナキンを成形された吸収性物品上に載せ、5分静置させる。なお、カナキンは吸収性物品よりも１０ｍｍ以上広い幅のものを用いる。このとき、各サンプルの着用者に向けられる面にカナキンを当てるようにする。濡れた肌を再現したサンプルに0.3wet%のニンヒドリン水溶液を30 g／ｍ2となるように略均一に塗布し、自然乾燥させる。
【００７６】
センターシートによる人口汗の吸収量と、サイドシートによる人口汗の吸収量と、の差は、以下の2つの手段によって評価できる。第１の手段としては、Ｌ値に基づいて評価する。ニンヒドリン反応後の吸収性物品を、バックシートを下にした状態で、黒色シート上に置く。次に、吸収性物品のトップシート側、測定対象となる領域（センターシートの領域とサイドシートの領域）のＬ＊値を、色彩色差計で3回測定し、その平均値を算出する。なお、L＊値は国際照明委員会（Ｃｏｍｍｉｓｓｉｏｎ  Ｉｎｔｅｒｎａｔｉｏｎａｌｅ  ｄｅ  ｌ’Ｅｃｌａｉｒａｇｅ）によって規定されているＬ＊ａ＊ｂ＊表色系におけるＬ値は、例えば色彩色差計（ＫＯＮＩＣＡ ＭＩＮＯＬＴＡ社製 ＣＲ−３０００）を用いて測定することができる。Ｌ値が大きいほど、使用後の表面白さに優れることを示すことから、L値が小さいほど、汗を吸収していると評価できる。
【００７７】
保水性繊維を有するセンターシートと、熱可塑性樹脂繊維を含むサイドシートと、のL値を比較すると、センターシートのL＊値は、セカンドシートのL＊値よりも大きくなり、保水性繊維が熱可塑性樹脂繊維よりも汗を吸収することがわかった。
【００７８】
また、第２の手段としては、ＰＡＮＴＯＮＥ（登録商標）の色見本に基づいて評価する。ニンヒドリン反応後の吸収性物品のセンターシート及びサイドシートを、ＰＡＮＴＯＮＥ（登録商標）の色見本と照らし合わせ、その濃淡を比較する。センターシートの呈色反応後の色にもっとも近い色見本と、サイドシートの呈色反応後の色に最も近い色見本と、を抽出する。色見本が異なることにより、センターシートの体液の吸収量が、サイドシートの体液の吸収量と異なることがわかる。また、人工汗の吸収量が大きいほど、ニンヒドリン反応後の色が濃くなる。そのため、センターシートに近い色見本と、サイドシートに近い色見本と、の色を比較し、センターシートの色見本が濃いことにより、センターシートの体液の吸収量が多いことがわかる。また、色見本の色差が大きければ大きいほど、体液の吸収量に差があることがわかる。本実施の形態に係るセンターシートとサイドシートを用いて評価すると、センターシートの色見本は、パントーン513Cであり、サイドシートの色見本は、パントーン516Cであった。センターシートの色見本が濃く、センターシートの体液の吸収量が多いことがわかった。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８０】
変形例に係る吸収性物品は、サイドシート１２がセンターシート１１よりも肌面側Ｔ１に配置されてよい。サイドシート１２がセンターシート１１よりも肌面側Ｔ１に配置された形態にあっては、サイドシート１２の非折り返し部１２Ａは、幅方向に離間して一対で設けられてよい。また、サイドシート１２の折り返し部１２Ｂは、吸収コアよりも肌面側に配置されていてもよいし、吸収コアよりも非肌面側に配置されていてもよい。
【産業上の利用可能性】
【００８１】
着用時の脚に対する触り心地の低下を抑制しつつ、排泄口に対するフィット性を向上させ、漏れを抑制できる吸収性物品を提供できる。
【符号の説明】
【００８２】
１        ：吸収性物品
３        ：ウイング
１０      ：トップシート
１１      ：センターシート
１２      ：サイドシート
１２Ａ    ：非折り返し部
１２Ｂ    ：折り返し部
１４      ：接合部
１５      ：起立部
１６      ：シート圧搾部
２０      ：非肌面側シート
３１      ：吸収コア
３３      ：高坪量部
６５      ：前後圧搾部
１１１    ：第１層
１１２    ：第１層
Ｒ１１    ：接合領域
Ｒ１２    ：非接合領域
Ｒ３１    ：第１領域
Ｒ３２    ：第２領域
ＲＹ      ：センター非接合領域
Ｌ        ：前後方向
Ｔ        ：厚さ方向
Ｔ１      ：肌面側
Ｔ２      ：非肌面側
Ｗ        ：幅方向
【図１】
2020069035.tif 000003
【図２】
2020069035.tif 000004
【図３】
2020069035.tif 000005
【図４】
2020069035.tif 000006
【図５】
2020069035.tif 000007